(57)【要約】【課題】レンズ枠に羽根駆動部を結合して、レンズ枠と羽根駆動部を一体に移動させるレンズ羽根駆動装置において、羽根駆動部への給電を行うフレキシブル配線基板がレンズ枠の移動の妨げになることを抑止する。【解決手段】レンズ羽根駆動装置は、レンズを保持するレンズ枠と、レンズ枠に一体に結合され、レンズを透過する光を制限する羽根を駆動する羽根駆動部と、羽根駆動部をレンズの光軸に沿って移動自在に支持するベース部材とを備え、一端側が羽根駆動部に接続されるフレキシブル配線基板を、羽根駆動部に重ねて収容し、フレキシブル配線基板は、羽根駆動部と重なる部分に余長部を備える。【選択図】図１
2019045863.tif 000002
【特許請求の範囲】
【請求項１】
レンズを保持するレンズ枠と、
前記レンズ枠に一体に結合され、前記レンズを透過する光を制限する羽根を駆動する羽根駆動部と、
前記羽根駆動部を前記レンズの光軸に沿って移動自在に支持するベース部材とを備え、
一端側が前記羽根駆動部に接続されるフレキシブル配線基板を、前記羽根駆動部に重ねて収容し、
前記フレキシブル配線基板は、前記羽根駆動部と重なる部分に余長部を備えることを特徴とするレンズ羽根駆動装置。
【請求項２】
前記余長部は、平面的な湾曲部であることを特徴とする請求項１記載のレンズ羽根駆動装置。
【請求項３】
前記余長部は、折り畳み状態になっていることを特徴とする請求項１記載のレンズ羽根駆動装置。
【請求項４】
前記フレキシブル配線基板の前記羽根駆動部に接続される接続部は、その近傍が屈曲した状態で前記羽根駆動部の内部に配置されていることを特徴とする請求項１〜３のいずれか１項記載のレンズ羽根駆動装置。
【請求項５】
前記フレキシブル配線基板は、前記羽根駆動部の外周に沿って配置されて前記接続部に至ることを特徴とする請求項４記載のレンズ羽根駆動装置。
【請求項６】
レンズを保持するレンズ枠と、
前記レンズ枠に一体に結合され、前記レンズを透過する光を制限する羽根を駆動する羽根駆動部と、
前記羽根駆動部を載置する載置面を備えると共に前記レンズ枠と前記羽根駆動部を前記レンズの光軸に沿って移動自在に支持するベース部材とを備え、
一端側が前記羽根駆動部に接続されるフレキシブル配線基板を、折り畳み状態にして前記載置面上に収容したことを特徴とするレンズ羽根駆動装置。
【請求項７】
前記ベース部材の載置面には、前記レンズに対向する開口が設けられ、
前記フレキシブル配線基板は、前記開口を避けて二股に分かれて配置されることを特徴とする請求項６記載のレンズ羽根駆動装置。
【請求項８】
前記羽根駆動部は、前記レンズ枠の一部を収容する凹部を備え、前記凹部に収容された前記レンズ枠を固定する固定部材を備え、
前記ベース部材と前記固定部材の一方又は両方に、前記フレキシブル配線基板の折り返し部を収容する収容部を設けたことを特徴とする請求項６又は７記載のレンズ羽根駆動装置。
【請求項９】
前記ベース部材は、前記載置面の一端側に、前記固定部材を移動自在に片持ち支持する支持部を備え、前記載置面の他端側に、前記フレキシブル配線基板の端部が接続される端子が設けられることを特徴とする請求項８記載のレンズ羽根駆動装置。
【請求項１０】
前記支持部には、前記固定部材に配置されたマグネットに対面して駆動コイルが配置され、前記ベース部材の支持部側には、前記駆動コイルに接続される端子が設けられることを特徴とする請求項９記載のレンズ羽根駆動装置。
【請求項１１】
前記羽根駆動部は、開口を有する薄厚状の突出部を有する羽根収容体を備え、前記レンズ枠は、前記突出部が挿入されるスリット孔を備え、前記羽根収容体の開口が前記レンズの光軸上に配置されることを特徴とする請求項１〜１０のいずれか１項に記載のレンズ羽根駆動装置。
【請求項１２】
前記羽根駆動部には、前記羽根を駆動する電磁アクチュエータが設けられ、前記電磁アクチュエータは前記フレキシブル配線基板に接続されていることを特徴とする請求項１〜１１のいずれか１項に記載のレンズ羽根駆動装置。
【請求項１３】
前記羽根は、前記レンズを通過する光量を調整する絞り羽根であることを特徴とする請求項１〜１２のいずれか１項に記載のレンズ羽根駆動装置。
【請求項１４】
前記羽根は、前記レンズを透過する光量を２段階に調整することを特徴とする請求項１３記載のレンズ羽根駆動装置。
【請求項１５】
前記羽根は、前記レンズを通過する光を遮断するシャッタ羽根であることを特徴とする請求項１〜１２のいずれか１項に記載のレンズ羽根駆動装置。
【請求項１６】
前記羽根は、前記レンズを通過する光を選択的に透過させる光学フィルタであることを特徴とする請求項１〜１２のいずれか１項記載のレンズ羽根駆動装置。
【請求項１７】
前記フレキシブル配線基板には、前記羽根駆動部への給電経路に接続されるドライバＩＣが搭載されていることを特徴とする請求項１〜１６のいずれか１項記載のレンズ羽根駆動装置。
【請求項１８】
前記フレキシブル配線基板には、前記ドライバＩＣと一体又は別体で、前記羽根の動きを検出するホール素子が配備されていることを特徴とする請求項１７記載のレンズ羽根駆動装置。
【請求項１９】
請求項１〜１８のいずれか１項に記載のレンズ羽根駆動装置を備えた撮像装置。
【請求項２０】
請求項１〜１８のいずれか１項に記載のレンズ羽根駆動装置を備えた携帯電子機器。
【発明の詳細な説明】
【技術分野】
【０００１】
本発明は、レンズと羽根を駆動するレンズ羽根駆動装置に関するものである。
【背景技術】
【０００２】
絞り羽根を駆動する羽根駆動部をレンズを保持するレンズ枠（レンズバレル）に一体に結合して、レンズ枠をフォーカス駆動する装置（レンズ羽根駆動装置）が知られている（下記特許文献１参照）。
【０００３】
このレンズ羽根駆動装置における羽根駆動部は、電磁アクチュエータが内蔵された枠体から、絞り羽根が収容された地板の一部を突出させて、開口を有する地板の突出部をレンズ枠に設けたスリットに挿入し、地板の開口がレンズの光軸を通るように配置している。羽根駆動部の枠体は、レンズ枠に機械的に結合され、レンズ枠は、レンズの光軸方向に移動自在に外枠に支持されており、レンズ枠の側面に固定されたマグネットとレンズ枠を支持する外枠に設けられる駆動コイルからなるレンズ駆動部によって、羽根駆動部と一体のレンズ枠が光軸方向に沿って移動される。
【先行技術文献】
【特許文献】
【０００４】
【特許文献１】特開２０１７−４０８１４号公報
【発明の概要】
【発明が解決しようとする課題】
【０００５】
前述したレンズ羽根駆動装置は、レンズ枠を移動させる際にレンズ枠に機械的に結合されている羽根駆動部を一体に移動させるため、羽根駆動部への給電は、羽根駆動部の移動に対してフレキシブルに追従できるフレキシブル配線基板（ＦＰＣ）を介して行われる。
【０００６】
このようなレンズ羽根駆動装置では、フレキシブル配線基板の変形抵抗がレンズ枠の移動の妨げになる問題があり、これを避けるためにフレキシブル配線基板の余長を大きくすると、レンズ羽根駆動装置の周囲にフレキシブル配線基板の余長を配置する大きなスペースが必要になる。これに対して、モバイル電子機器などの小型電子機器に装備されるレンズ羽根駆動装置は、設置のために占有できるスペースが厳しく制限されているので、フレキシブル配線基板の余長を収納するスペースをレンズ羽根駆動装置の周囲に確保できない問題がある。
【０００７】
本発明は、このような問題に対処するために提案されたものである。すなわち、レンズ枠に羽根駆動部を結合して、レンズ枠と羽根駆動部を一体に移動させるレンズ羽根駆動装置において、羽根駆動部への給電を行うフレキシブル配線基板がレンズ枠の移動の妨げになることを抑止すること、レンズ羽根駆動装置の周囲からフレキシブル配線基板の余長収納スペースを省くこと、などを課題としている。
【課題を解決するための手段】
【０００８】
このような課題を解決するために、本発明は、以下の構成を具備するものである。
【０００９】
レンズを保持するレンズ枠と、前記レンズ枠に一体に結合され、前記レンズを透過する光を制限する羽根を駆動する羽根駆動部と、前記羽根駆動部を前記レンズの光軸に沿って移動自在に支持するベース部材とを備え、一端側が前記羽根駆動部に接続されるフレキシブル配線基板を、前記羽根駆動部に重ねて収容し、前記フレキシブル配線基板は、前記羽根駆動部と重なる部分に余長部を備えることを特徴とするレンズ羽根駆動装置。
【００１０】
レンズを保持するレンズ枠と、前記レンズ枠に一体に結合され、前記レンズを透過する光を制限する羽根を駆動する羽根駆動部と、前記羽根駆動部を載置する載置面を備えると共に前記レンズ枠と前記羽根駆動部を前記レンズの光軸に沿って移動自在に支持するベース部材とを備え、一端側が前記羽根駆動部に接続されるフレキシブル配線基板を、折り畳み状態にして前記載置面上に収容したことを特徴とするレンズ羽根駆動装置。
【図面の簡単な説明】
【００１１】
【図１】本発明の実施形態に係るレンズ羽根駆動装置の分解斜視図である。
【図２】本発明の実施形態に係るレンズ羽根駆動装置の側面図（（ａ）がレンズ枠非動作時を示し、（ｂ）がレンズ枠動作時を示している。）である。
【図３】本発明の他の実施形態に係るレンズ羽根駆動装置を示した側面図である。
【図４】フレキシブル配線基板の説明図（（ａ）が背面図、（ｂ）が平面図）である。
【図５】羽根駆動装置の動作を示す説明図（（ａ）が絞り光量最大時、（ｂ）が絞り光量最小時）である。
【図６】本発明の他の実施形態に係るレンズ羽根駆動装置の分解斜視図（フレキシブル配線基板にホール素子一体のドライバＩＣを配備した例）である。
【図７】図６に示したレンズ羽根駆動装置の組立図（（ａ）が平面図であり、（ｂ）（ａ）におけるＡ−Ａ断面図である）である。
【図８】本発明の他の実施形態に係るレンズ羽根駆動装置の分解斜視図（フレキシブル配線基板にホール素子とドライバＩＣを配備した例）である。
【図９】レンズ羽根駆動装置におけるフレキシブル配線基板の他の構成例を示した説明図（（ａ）が平面図であり、（ｂ）が側面図）である。
【図１０】図９に示したフレキシブル配線基板を備えたレンズ羽根駆動装置の動作を示した説明図（（ａ）が非動作時、（ｂ）が動作時）である。
【図１１】レンズ羽根駆動装置におけるフレキシブル配線基板の他の構成例を示した説明図（（ａ）が平面図であり、（ｂ）が側面図）である。
【図１２】図１１に示したフレキシブル配線基板を備えたレンズ羽根駆動装置の動作を示した説明図（（ａ）が非動作時、（ｂ）が動作時）である。
【図１３】本発明の他の実施形態に係るレンズ羽根駆動装置の分解斜視図である。
【図１４】本発明の他の実施形態に係るレンズ羽根駆動装置の分解斜視図である。
【図１５】レンズ羽根駆動装置におけるフレキシブル配線基板の他の構成例を示した説明図（（ａ）は図１３に示した例、（ｂ）は図１４に示した例）である。
【図１６】図１３又は図１４に示したフレキシブル配線基板を備えたレンズ羽根駆動装置の動作を示した説明図（（ａ）が非動作時、（ｂ）が動作時）である。
【図１７】本発明の他の実施形態に係るレンズ羽根駆動装置の分解斜視図である。
【図１８】（ａ）が本発明の実施形態に係るレンズ羽根駆動装置を備えた撮像装置を示した説明図であり、（ｂ）が本発明の実施形態に係るレンズ羽根駆動装置を備えた携帯電子機器（携帯情報端末）を示した説明図である。
【発明を実施するための形態】
【００１２】
以下、図面を参照して本発明の実施形態を説明する。以下の説明で、異なる図における同一符号は同一機能の部位を示しており、各図における重複説明は適宜省略する。
【００１３】
図１及び図２に示すように、レンズ羽根駆動装置１は、単数又は複数のレンズを保持するレンズ枠２と、羽根駆動部３と、第１ベース部材４と、フレキシブル配線基板５とを備えている。羽根駆動部３は、レンズ枠２に一体に結合され、レンズ枠２に保持されるレンズを透過する光を制限する羽根６，７を駆動する。第１ベース部材４は、羽根駆動部３を載置する載置面４Ａを備えると共に、レンズ枠２と羽根駆動部３をレンズ枠２に保持されるレンズの光軸に沿って移動自在に支持している。フレキシブル配線基板５は、一端側が羽根駆動部３に接続されており、羽根駆動部３と重なる部分に設けた余長部を折り畳み状態にして、第１ベース部材４の載置面４Ａ上（すなわち、羽根駆動部３と第１ベース部材４との間で羽根駆動部３に重なる位置）に収容されている。
【００１４】
このようなレンズ羽根駆動装置１は、レンズ枠２と羽根駆動部３を一体にして第１ベース部材４に対して移動するに際して、羽根駆動部３への給電を行うフレキシブル配線基板５を羽根部材３に重なる位置に折り畳み状態にして、第１ベース部材４の載置面４Ａ上に収容している。これによって、フレキシブル配線基板５を比較的長くしても、レンズ羽根駆動装置１の周囲にフレキシブル配線基板５の余長収納スペースを設ける必要が無い。
【００１５】
レンズ羽根駆動装置１は、レンズ枠２の非動作時には、図２（ａ）に示すように、第１ベース部材４の載置面４Ａ上に羽根駆動部３が載置されており、フレキシブル配線基板５は、１８０°折り畳まれた状態で載置面４Ａ上で第１ベース部材４と羽根駆動部３とに挟まれた状態で収容されている。そして、レンズ枠２の動作時には、図２（ｂ）に示すように、レンズ枠２の移動に追従して折り畳まれたフレキシブル配線基板５の折り畳み角度が変化する。この際、フレキシブル配線基板５は、折り返し部５Ａを湾曲状にすることで、折り畳み角度が変化する際の変形抵抗を小さくしている。これによって、レンズ枠２は、フレキシブル配線基板５の変形抵抗を殆ど受けること無く移動することができ、フレキシブル配線基板５がレンズ枠２の移動の妨げになるのを抑止している。
【００１６】
以下、各部の構成を具体的に説明する。図１に示すように、羽根駆動部３は、第２ベース部材１０とカバー１１の間に、薄厚状の羽根収容体１２，１３が配置され、羽根収容体１２，１３を合わせた間の空間である羽根室１４に、２枚の羽根６，７が配置されている。第２ベース部材１０には、軸１０Ａが設けられており、軸１０Ａにレバー部材１５が軸支されている。レバー部材１５は、中央に軸１０Ａが挿通される軸孔１５Ａを有し、左右の両端にそれぞれ連結部１５Ｂ，１５Ｃが設けられている。また、レバー部材１５における軸孔１５Ａの左右には、マグネット保持部１５Ｄ，１５Ｅが設けられ、そのマグネット保持部１５Ｄ，１５Ｅには、それぞれマグネット１６，１７が保持されている。
【００１７】
第２ベース部材１０内で、軸１０Ａに軸支されるレバー部材１５の背面側には、フラットコイル１８が配置され、更には、ヨーク１９，２０が、フラットコイル１８と第２ベース部材１０との間に配置されている。また、レバー部材１５の回転位置を検知する位置センサ（磁気センサ）は、フレキシブル配線基板５に接続されている。
【００１８】
第２ベース部材１０とカバー１１は、レンズ枠２の一部を収容する凹部１０Ｓ，１１Ｓを備えている。また、羽根駆動部３は、凹部１０Ｓ，１１Ｓに収容されたレンズ枠２を第２ベース部材１０と共に挟持して固定する固定部材２１を備えている。
【００１９】
羽根収容体１２，１３は、凹部１０Ｓ，１１Ｓ内に突出する突出部１２Ａ，１３Ａを備えており、突出部１２Ａ，１３Ａには、同軸状に配置される開口１２Ｂ，１３Ｂが設けられている。突出部１２Ａ，１３Ａは、凹部１０Ｓ，１１Ｓに収容されるレンズ枠２のスリット２Ｓに挿入され、開口１２Ｂ，１３Ｂは、レンズ枠２に保持されるレンズの光軸上に配置される。
【００２０】
羽根収容体１２，１３の間の羽根室１４に配置される羽根６，７は、開口１２Ｂ，１３Ｂに重なる絞り開口６Ａ，７Ａを備えている。また、羽根６，７には、第２ベース部材１０のガイド突起１０Ｂ，１０Ｃが挿通される長孔状のガイド孔６Ｂ，７Ｂが設けられ、更には、レバー部材１５の連結部１５Ｂ，１５Ｃが連結する連結孔６Ｃ，７Ｃが設けられている。
【００２１】
そして、羽根収容体１２，１３とカバー１１には、レバー部材１５の連結部１５Ｂ，１５Ｃの動きを許容する孔部１２Ｐ，１３Ｐ，１１Ｐが設けられると共に、第２ベース部材１０のガイド突起１０Ｂ，１０Ｃが挿通される挿通孔１２Ｑ，１３Ｑ，１１Ｑが設けられている。また、羽根収容体１２，１３とカバー１１には、第２ベース部材１０の結合突起１０Ｒが挿通される結合孔１２Ｒ，１３Ｒ，１１Ｒが設けられている。
【００２２】
第１ベース部材４は、載置面４Ａに、レンズ枠２に保持されるレンズに対向する開口４Ｂが設けられている。また、第１ベース部材４は、載置面４Ａの一端側に、前述した固定部材２１を移動自在に片持ち支持する支持部４Ｃを備えている。支持部４Ｃには、レンズ枠２に保持されるレンズの光軸に沿って延設されるガイド溝４Ｄが設けられている。また、固定部材２１にもそのガイド溝４Ｄに対向するガイド溝２１Ａが設けられており、ガイド溝４Ｄとガイド溝２１Ａの間にベアリング２２が介在することで、固定部材２１は支持部４Ｃに対して移動自在に支持されている。
【００２３】
固定部材２１にはマグネット２３が配置され、支持部４Ｃには、マグネット２３に対面して駆動コイル２４が配置されている。このマグネット２３と駆動コイル２４によって、駆動コイル２４への通電でレンズ枠２をレンズの光軸方向に移動させる電磁アクチュエータが構成されている。第１ベース部材４の支持部４Ｃ側の端部には、駆動コイル２４に接続されるレンズ駆動用端子２５が設けられている。なお、図示の例では、固定部材２１側にマグネット２３を設けて、第１ベース部材４の支持部４Ｃ側に駆動コイル２４を設けているが、その逆に、固定部材２１側に駆動コイル２４を設け、第１ベース部材４の支持部４Ｃ側にマグネット２３を設けても良い。その場合には、フレキシブル配線基板５を介して駆動コイル２４への通電がなされる。
【００２４】
フレキシブル配線基板５は、前述したように、第１ベース部材４の載置部４Ａ上で折り畳み状態になっており、その一端側が第２ベース部材１０内に配置されるフラットコイル１８に接続部２６を介して接続されている。フラットコイル１８は、レバー部材１５に保持されるマグネット１６，１７と共に、羽根６，７を駆動する電磁アクチュエータを構成している。
【００２５】
また、フレキシブル配線基板５は、湾曲状に折り返されている折り返し部５Ａが、図２に示すように、固定部材２１に設けられる収容部２１Ｂに収容されている。収容部２１Ｂは、折り返し部５Ａが湾曲状態を維持した状態で収容されるために設けられる空間であり、図２に示すように固定部材２１側に設けてもよいが、第１ベース部材４側に設けても良い。また、図３に示すように、固定部材２１側に設ける収容部２１Ｂと第１ベース部材４側に設ける収容部４Ｆを合わせた空間に湾曲状の折り返し部５Ａを配置しても良い。
【００２６】
このように、フレキシブル配線基板５の折り返し部５Ａを第１ベース部材４と固定部材２１の間に収容することで、レンズ羽根駆動装置１の周囲からフレキシブル配線基板５の余長収納スペースを省くことができる。また、湾曲した折り返し部５Ａを収容するスペースを設けることで、折り返し部５Ａの湾曲半径を大きく設定することができ、折り畳み状態のフレキシブル配線基板５の折り畳み角度が変化する際の変形抵抗を極力小さくすることができる。
【００２７】
フレキシブル配線基板５は、図４に示すように、第１ベース部材４の開口４Ｂを避けて二股に分かれて配置されている。フレキシブル配線基板５は、薄厚の板状体であるが、その一端側の基端部に前述したフラットコイル１８が接続部２６を介して接続されており、そこから開口４Ｂを避けるように左右対称に分かれて延設され、左右対称位置に折り返し部５Ａを設けて、更に開口４Ｂを避けて左右対称に延設されて他端側の基端部に至っている。この他端側の基端部には接続端部５Ｂが設けられており、接続端部５Ｂは、図２に示すように、第１ベース部材４の載置面４Ａの他端側に設けれる羽根駆動用端子２７に接続される。このようにフレキシブル配線基板５を二股状にして、開口４Ｂの左右対称位置に配置することで、移動するレンズ枠２と羽根駆動部３の姿勢に悪影響を与えること無く、フレキシブル配線基板５を羽根駆動部３に接続することができる。
【００２８】
図５は、羽根駆動部３の羽根６，７の動きを示している。羽根６，７は、電磁アクチュエータを構成するフラットコイル１８への通電で、レバー部材１５に保持されるマグネット１６，１７に駆動力を付与することで、レバー部材１５を軸１０Ａ回りに回動させて駆動する。羽根６は、レバー部材１５の連結部１５Ｂに連結孔６Ｃにて連結しており、一軸方向に延設されるガイド孔６Ｂに第２ベース部材１０のガイド突起１０Ｂが挿通されている。また、羽根７は、レバー部材１５の連結部１５Ｃに連結孔７Ｃにて連結しており、一軸方向に延設されるガイド孔７Ｂに第２ベース部材１０のガイド突起１０Ｂが挿通されている。これにより、レバー部材１５が軸１０Ａ回りに回動することで、羽根６，７は一軸方向に互いに逆向きに摺動することになり、開口１２Ｂ，１３Ｂに重なる絞り開口６Ａ，７Ａの重なり度合いが適宜調整され、開口１２Ｂ，１３Ｂを透過する光量が調整される。
【００２９】
なお、図示の例では、羽根６，７が絞り羽根の例を示しているが、羽根６，７はこれに限らず、レンズを通過する光を遮断するシャッタ羽根や、レンズを通過する光を選択的に透過させる光学フィルタなどであってもよい。その際、羽根の枚数は用途に応じて適宜設定される。
【００３０】
図６及び図７は、前述したレンズ羽根駆動装置１におけるフレキシブル配線基板５にドライバＩＣ３０を配備した例を示している。ドライバＩＣ３０は、フレキシブル配線基板５において、羽根駆動部３への給電経路に接続されている。ドライバＩＣ３０は、図６に示す例では、マグネット１６，１７が取り付けられたレバー部材１５の動きを検出することで、羽根６，７の動きを検出するホール素子が一体になったものが配備されている。
【００３１】
これに対して図８に示した例は、前述したレンズ羽根駆動装置１におけるフレキシブル配線基板５にドライバＩＣ３０とホール素子３１がそれぞれ別体で配備されている。ここでも、ドライバＩＣ３０とホール素子３１は、フレキシブル配線基板５において、羽根駆動部３への給電経路に接続されている。
【００３２】
図６〜図７に示すレンズ羽根駆動装置１によると、羽根駆動部３に給電するためのフレキシブル配線基板５にドライバＩＣ３０を配備することで、羽根駆動部３内でユニット個々に駆動調整を施し、調整結果をドライバＩＣ３０に格納しておくことができるので、レンズ羽根駆動装置１が搭載される撮像装置、或いは撮像装置が搭載される携帯電子機器において、ユニット毎の調整を省くことができる。また、ホール素子３１を配備したものでは、レンズ羽根駆動装置１とこれを搭載する撮像装置との接続端子を減らすことが可能になる。
【００３３】
図９及び図１０は、レンズ羽根駆動装置１におけるフレキシブル配線基板５の他の構成例を示している。この例では、フレキシブル配線基板５は、接続端部５Ｂから折り返し部５Ａに至る部分が、レンズ枠２を挟む２つの配線経路に分かれており、その部分に平面的な湾曲部５Ｃが形成されていて、その湾曲部５Ｃが羽根駆動部３と重なる一つの余長部５０になっている。
【００３４】
図９に示したフレキシブル配線基板５は、接続端部５Ｂから２つに分かれた配線経路が、それぞれ複数の湾曲部５Ｃを介して平面的に折り返し部５Ａまで延び、折り返し部５Ａで折り返された２つの配線経路が接続部２６に至っている。また、羽根駆動部３に接続される接続部２６は、屈曲部５Ｄによってその近傍が屈曲した状態で羽根駆動部３の内部に配置されている。
【００３５】
図９に示したフレキシブル配線基板５を備えるレンズ羽根駆動装置１は、レンズ枠２の非動作時には、図１０（ａ）に示すように、第１ベース部材４の載置面４Ａ上に羽根駆動部３が載置されており、フレキシブル配線基板５は、１８０°折り畳まれた状態で載置面４Ａ上で第１ベース部材４と羽根駆動部３とに挟まれた状態で羽根駆動部３と重なって収容されている。そして、レンズ枠２の動作時には、図１０（ｂ）に示すように、レンズ枠２の移動に追従して折り畳まれたフレキシブル配線基板５の折り畳み角度が変化する。この際、フレキシブル配線基板５は、折り返し部５Ａを湾曲状にすると共に湾曲部５Ｃを設けることことで、折り畳み角度が変化する際の変形抵抗を小さくしている。これによって、レンズ枠２は、フレキシブル配線基板５の変形抵抗を殆ど受けること無く移動することができ、フレキシブル配線基板５がレンズ枠２の移動の妨げになるのを抑止している。
【００３６】
図１１及び図１２は、レンズ羽根駆動装置１におけるフレキシブル配線基板５の他の構成例を示している。この例では、図９及び図１０に示した例と同様に、フレキシブル配線基板５は、接続端部５Ｂからレンズ枠２を挟む２つの配線経路に分かれており、その部分に平面的な湾曲部５Ｃが形成されていて、その湾曲部５Ｃが羽根駆動部３と重なる一つの余長部５０になっている。
【００３７】
図１１に示したフレキシブル配線基板５は、接続端部５Ｂから２つに分かれた配線経路が、それぞれ複数の湾曲部５Ｃを介して平面的に屈曲部５Ｄ１まで延び、屈曲部５Ｄ１で折り曲げられたフレキシブル配線基板５は、屈曲部５Ｄ２まで羽根駆動部３の外周に沿って配置され、屈曲部５Ｄ２以降は羽根駆動部３の内部に配置され接続部２６に至っている。また、羽根駆動部３に接続される接続部２６は羽根駆動部３の内部に配置されている。
【００３８】
図１１に示したフレキシブル配線基板５を備えるレンズ羽根駆動装置１は、レンズ枠２の非動作時には、図１２（ａ）に示すように、第１ベース部材４の載置面４Ａ上に羽根駆動部３が載置されており、フレキシブル配線基板５は、羽根駆動部３の外周に沿って配置された配線部分が載置面４Ａ上で第１ベース部材４と羽根駆動部３とに挟まれた状態で羽根駆動部３と重なって収容されている。そして、レンズ枠２の動作時には、図１２（ｂ）に示すように、レンズ枠２の移動に追従して羽根駆動部３の外周に沿って配置された配線部分が、羽根駆動部３の外周から離れて屈曲部５Ｄ１及び屈曲部５Ｄ５間の配線部分の傾斜角度が変化する。この際、フレキシブル配線基板５は、湾曲部５Ｃと複数の屈曲部５Ｄ１〜５Ｄ５を設けることで、傾斜角度が変化する際の変形抵抗を小さくしている。これによって、レンズ枠２は、フレキシブル配線基板５の変形抵抗を殆ど受けること無く移動することができ、フレキシブル配線基板５がレンズ枠２の移動の妨げになるのを抑止している。
【００３９】
図１３〜図１７に示したレンズ羽根駆動装置１は、羽根（一枚の羽根）６がレンズを通過する光量を２段階に調整するように駆動される例である。この例では、スペーサ３２を介して貼り合わせられる羽根収容体１２，１３の間に形成された羽根室（薄い空間）内に一枚の羽根６が配置されており、羽根６の開口６Ａの位置が、羽根収容体１２，１３の開口１２Ｂ，１３Ｂと完全に重なる位置と羽根６自体が開口１２Ｂ，１３Ｂに重ならない位置とで、羽根６が２段階に切り替え動作する。羽根６は、マグネット４２を中心に備えるロータリレバー４１と、Ｕ字状にロータリレバー４１を囲むヨーク４３と、ヨーク４３に巻き回されるコイル４４からなる駆動部４０によって駆動される。
【００４０】
図１３及び図１５（ａ）に示したフレキシブル配線基板５は、接続端部５Ｂから２つに分かれた配線経路が、それぞれ複数の湾曲部５Ｃを介して平面的に接続部２６まで延びており、これによって羽根駆動部３と重なる位置に余長部５０が形成されている。また、図１４及び図１５（ｂ）に示したフレキシブル配線基板５は、接続端部５Ｂから延びる一つの配線経路が、Ｔ字状に２つの配線経路に分かれ、それぞれが湾曲部５Ｃを介して平面的に接続部２６まで延びており、これによって羽根駆動部３と重なる位置に余長部５０が形成されている。
【００４１】
図１３〜図１５に示したフレキシブル配線基板５を備えるレンズ羽根駆動装置１は、レンズ枠２の非動作時には、図１６（ａ）に示すように、第１ベース部材４の載置面４Ａ上に羽根駆動部３が載置されており、フレキシブル配線基板５は、第１ベース部材４と羽根駆動部３との間で羽根駆動部３と重なって収容され、接続端部５Ｂ近傍の屈曲部５Ｄで水平になり、そのまま平面的に延びて接続部２６に至っている。そして、レンズ枠２の動作時には、図１６（ｂ）に示すように、レンズ枠２の移動に追従して、湾曲部５Ｃと屈曲部５Ｄとの間の配線部分の傾斜角度が変化する。この際、フレキシブル配線基板５は、湾曲部５Ｃと屈曲部５Ｄを設けることで、傾斜角度が変化する際の変形抵抗を小さくしている。これによって、レンズ枠２は、フレキシブル配線基板５の変形抵抗を殆ど受けること無く移動することができ、フレキシブル配線基板５がレンズ枠２の移動の妨げになるのを抑止している。
【００４２】
図１７は、図１３〜図１６に示したレンズ羽根駆動装置１におけるフレキシブル配線基板５にドライバＩＣ３０を配備した例を示している。ドライバＩＣ３０は、フレキシブル配線基板５において、羽根駆動部３への給電経路に接続されている。図１７に示す例では、フレキシブル配線基板５は、一つの湾曲部５Ｃのみで接続端部５Ｂから平面的に接続部２６に延びている。
【００４３】
図１７に示すレンズ羽根駆動装置１によると、羽根駆動部３に給電するためのフレキシブル配線基板５にドライバＩＣ３０を配備することで、羽根駆動部３内でユニット個々に駆動調整を施し、調整結果をドライバＩＣ３０に格納しておくことができるので、レンズ羽根駆動装置１が搭載される撮像装置、或いは撮像装置が搭載される携帯電子機器において、ユニット毎の調整を省くことができる。
【００４４】
図１８は、（ａ）において、前述したレンズ羽根駆動装置１を備えた撮像装置（カメラ）１００を示し、（ｂ）において、レンズ羽根駆動装置１を具備するカメラユニットを備えた携帯電子機器（携帯情報端末）２００を示している。
【００４５】
前述したレンズ羽根駆動装置１は、フレキシブル配線基板５の余長部が周囲に配置されないので、設置スペースの制約が高い小型の撮像装置１００や携帯電子機器２００において、スペース効率良くレンズ羽根駆動装置１を設置することが可能になる。また、フレキシブル配線基板５の変形抵抗を大きく受けること無くレンズ枠２を移動させることができ、フレキシブル配線基板５がレンズ枠２の姿勢に悪影響を及ぼすことも無いので、レンズ枠２と羽根駆動部３とを一体に移動させるレンズ羽根駆動装置１においても、精度の高いオートフォーカス性能を発揮することができる。
【００４６】
なお、前述したレンズ駆動用端子２５が羽根駆動用端子として用いられ、羽根駆動用端子２７がレンズ駆動用端子として用いられても良い。
【００４７】
以上、本発明の実施の形態について図面を参照して詳述してきたが、具体的な構成はこれらの実施の形態に限られるものではなく、本発明の要旨を逸脱しない範囲の設計の変更等があっても本発明に含まれる。また、上述の各実施の形態は、その目的及び構成等に特に矛盾や問題がない限り、互いの技術を流用して組み合わせることが可能である。
【符号の説明】
【００４８】
１：レンズ羽根駆動装置，２：レンズ枠，２Ｓ：スリット，
３：羽根駆動部，
４：第１ベース部材，４Ａ：載置面，４Ｂ：開口，
４Ｃ：支持部，４Ｄ：ガイド溝，４Ｆ：収容部，
５：フレキシブル配線基板，５Ａ：折り返し部，５Ｂ：接続端部，
５Ｃ：湾曲部，５Ｄ，５Ｄ１〜５Ｄ５：屈曲部，５０：余長部，
６，７：羽根，６Ａ，７Ａ：絞り開口，６Ｂ，７Ｂ：ガイド孔，
６Ｃ，７Ｃ：連結孔，
１０：第２ベース部材，１０Ａ：軸，１０Ｂ，１０Ｃ：ガイド突起，
１０Ｒ：結合突起，１０Ｓ：凹部，
１１：カバー，１１Ｓ：凹部，１２，１３：羽根収容体，
１２Ａ，１３Ａ：突出部，１２Ｂ，１３Ｂ：開口，
１１Ｐ，１２Ｐ，１３Ｐ：孔部，
１１Ｑ，１２Ｑ，１３Ｑ：挿通孔，
１１Ｒ，１２Ｒ，１３Ｒ：結合孔，
１４：羽根室，１５：レバー部材，１５Ａ：軸孔，１５Ｂ，１５Ｃ：連結部，
１５Ｄ，１５Ｅ：マグネット保持部，１６，１７：マグネット，
１８：フラットコイル，１９，２０：ヨーク，
２１：固定部材，２１Ａ：ガイド溝，２１Ｂ：収容部，
２２：ベアリング，２３：マグネット，
２４：駆動コイル，２５：レンズ駆動用端子，
２６：接続部（フレキシブル配線基板），２７：羽根駆動用端子，
３０：ドライバＩＣ，３１：ホール素子，
３２：スペーサ，
４０：駆動部，４１：ロータリレバー，４２：マグネット，４３：ヨーク，
４４：コイル，５０：余長部，
１００：撮像装置，２００：携帯電子機器（携帯情報端末）
【図１】
2019045863.tif 000003
【図２】
2019045863.tif 000004
【図３】
2019045863.tif 000005
【図４】
2019045863.tif 000006
【図５】
2019045863.tif 000007
【図６】
2019045863.tif 000008
【図７】
2019045863.tif 000009
【図８】
2019045863.tif 000010
【図９】
2019045863.tif 000011
【図１０】
2019045863.tif 000012
【図１１】
2019045863.tif 000013
【図１２】
2019045863.tif 000014
【図１３】
2019045863.tif 000015
【図１４】
2019045863.tif 000016
【図１５】
2019045863.tif 000017
【図１６】
2019045863.tif 000018
【図１７】
2019045863.tif 000019
【図１８】
2019045863.tif 000020